(57)【要約】【課題】筐体の温度上昇を抑制し、筺体に触れた使用者に違和感を与えることを防止できるヘッドマウントディスプレイを提供する。【解決手段】画像を表示する画像表示部２Ｒ，２Ｌを備え、使用者が頭部に装着して画像を目視するためのヘッドマウントディスプレイ１である。ヘッドマウントディスプレイ１は、画像を生成する画像生成部６Ｒ，６Ｌと、画像生成部６Ｒ，６Ｌを収納し画像表示部２Ｒ，２Ｌを保持する筐体３と、画像生成部６Ｒ，６Ｌに接続された伝熱部材１０とを備えている。伝熱部材１０（１０ａ，１０ｂ，１０ｃ）は、筐体３の内部に配置されている。【選択図】図２
2018182553.tif 000002
【特許請求の範囲】
【請求項１】
画像を表示する画像表示部を備え、使用者が頭部に装着して前記画像を目視するためのヘッドマウントディスプレイであって、
前記画像を生成する画像生成部と、
前記画像生成部を収納し前記画像表示部を保持する筐体と、
前記画像生成部及び前記画像表示部のうち少なくとも前者に接続された伝熱部材とを備え、
前記伝熱部材は、前記筐体の内部に配置されることを特徴とするヘッドマウントディスプレイ。
【請求項２】
前記伝熱部材の熱伝導率が前記筐体の熱伝導率より大きいことを特徴とする請求項１に記載のヘッドマウントディスプレイ。
【請求項３】
前記伝熱部材は、前記筐体の内壁面と間隔をあけて設けられていることを特徴とする請求項１又は２に記載のヘッドマウントディスプレイ。
【請求項４】
前記筐体の前記使用者の頭部側における前記伝熱部材と前記内壁面との間隔は、前記筐体の前記使用者の頭部側とは反対側における前記伝熱部材と前記内壁面との間隔より長いことを特徴とする請求項３に記載のヘッドマウントディスプレイ。
【請求項５】
前記伝熱部材の配置位置は、前記画像表示部の上側と下側であることを特徴とする請求項１乃至４の何れかの一項に記載のヘッドマウントディスプレイ。
【請求項６】
前記伝熱部材の配置位置は、前記画像表示部の上側であることを特徴とする請求項１乃至４の何れかの一項に記載のヘッドマウントディスプレイ。
【請求項７】
前記伝熱部材は、前記筐体の前記使用者の頭部側とは反対側では部分的に前記筐体の内壁面に接し、その他の部位では前記筐体の内壁面と間隔をあけて設けられていることを特徴とする請求項１又は２に記載のヘッドマウントディスプレイ。
【請求項８】
前記伝熱部材は、前記筐体の前記使用者の頭部側と前記使用者の頭部側と反対側では部分的に前記筐体の内壁面に接し、その接触面積は、前記筐体の前記使用者の頭部側におけるより前記使用者の頭部側の反対側における方が広く、その他の部位では前記筐体の内壁面と間隔をあけて設けられていることを特徴とする請求項１又は２に記載のヘッドマウントディスプレイ。
【請求項９】
前記筐体の少なくとも一部は、眼鏡の前枠に相当する形状をなし、前記画像表示部は眼鏡レンズに相当する部位にそれぞれ設けられることを特徴とする請求項１〜８の何れかの一項に記載のヘッドマウントディスプレイ。
【請求項１０】
前記伝熱部材は、眼鏡レンズに相当する部位にそれぞれ設けられている前記画像表示部の周囲に配置されていることを特徴とする請求項９に記載のヘッドマウントディスプレイ。
【発明の詳細な説明】
【技術分野】
【０００１】
本発明は、ヘッドマウントディスプレイに関する。
【背景技術】
【０００２】
本技術分野の背景技術として、特開２０１６−３９５２０号公報（特許文献１）がある。この公報には、基板の第1面に表示部が形成された表示パネルと、筐体と、前記表示パネルを支持し、該表示パネルから前記筐体に熱を伝熱させるパネルフレームとが記載されている。これらを備えることで、表示パネルで発生した熱をパネルフレームによって筐体に逃がすことができる。
【先行技術文献】
【特許文献】
【０００３】
【特許文献１】特開２０１６−３９５２０号公報
【発明の概要】
【発明が解決しようとする課題】
【０００４】
前記特許文献１には、表示パネルで発生した熱をパネルフレームによって筐体に逃がすことで、表示パネルにおける特性低下を抑制できると記載されている。しかし、特許文献１の技術では、表示パネルの温度は下げられるものの、人体と接触する可能性のある筐体の温度は上昇するおそれがあり、筐体に触れた使用者に違和感を与える可能性がある。
そこで、本発明は、筐体の温度上昇を抑制し、筐体に触れた使用者に違和感を与えることを防止できるヘッドマウントディスプレイを提供することを課題とする。
【課題を解決するための手段】
【０００５】
上記課題を解決するため、本発明の一形態は、画像を表示する画像表示部を備え、使用者が頭部に装着して前記画像を目視するためのヘッドマウントディスプレイであって、前記画像を生成する画像生成部と、前記画像生成部を収納し前記画像表示部を保持する筐体と、前記画像生成部及び前記画像表示部のうち少なくとも前者に接続された伝熱部材とを備え、前記伝熱部材は、前記筐体の内部に配置されることを特徴とする。
【発明の効果】
【０００６】
本発明によれば、筐体の温度上昇を抑制し、筐体に触れた使用者に違和感を与えることを防止できるヘッドマウントディスプレイを提供することができる。
上記した以外の課題、構成及び効果は、以下の実施形態の説明により明らかにされる。
【図面の簡単な説明】
【０００７】
【図１】本発明の実施例１に係るヘッドマウントディスプレイの外観を示す斜視図である。
【図２】本発明の実施例１に係る筐体を透視して内部構造を示すヘッドマウントディスプレイの斜視図である。
【図３】本発明の実施例１に係る筐体を透視して内部構造を示すヘッドマウントディスプレイの上面図（ａ）と正面図（ｂ）である。
【図４】本発明の実施例１に係るヘッドマウントディスプレイにおける筐体の内部の収納部材を示す斜視図である。
【図５】本発明の実施例２に係る筐体を透視して内部構造を示すヘッドマウントディスプレイの正面図である。
【図６】本発明の実施例３に係る筐体を透視して内部構造を示すヘッドマウントディスプレイの正面図である。
【図７】本発明の実施例４に係る筐体を透視して内部構造を示すヘッドマウントディスプレイの上面図である。
【図８】本発明の実施例５に係る筐体を透視して内部構造を示すヘッドマウントディスプレイの上面図である。
【発明を実施するための形態】
【０００８】
以下、本発明の実施例について図面を用いて説明する。
【実施例１】
【０００９】
図１は、本発明の実施例１に係るヘッドマウントディスプレイ１の外観を示す斜視図である。ヘッドマウントディスプレイ１は、画像を表示する画像表示部２Ｒ，２Ｌを備え、使用者が頭部Ｈに装着して画像表示部２Ｒ，２Ｌで画像を目視するための装置である。図１では、使用者の頭部Ｈにヘッドマウントディスプレイ１を装着した状態を示しているが、以下に説明するヘッドマウントディスプレイ１は眼鏡型の形状をしているものの例である。すなわち、ヘッドマウントディスプレイ１は、ほぼ眼鏡の前枠に相当する形状をした筐体３を備え、筐体３において、眼鏡であれば眼鏡レンズが位置する部位に画像表示部２Ｒ，２Ｌを保持している。また、ヘッドマウントディスプレイ１を使用者の頭部Ｈに装着させる一対の頭部装着部４と、筐体３と各頭部装着部４とを連結する一対の連結部（ツル）５とを備えている。一対の頭部装着部４は、頭部Ｈを弾性的に締めつけるようにして、頭部Ｈにヘッドマウントディスプレイ１を支持させる。また、筐体３の壁面３ｃが鼻Ｈａ上に接してヘッドマウントディスプレイ１を支持させる。なお、頭部装着部４の内部には、外部と有線又は無線で通信を行う通信回路、メモリ及び電池等が収納されている。
本実施例では、左右の両眼に対して個別に画像を表示する構成を示している。すなわち、画像表示部２Ｒにより右目で画像を見て、画像表示部２Ｌにより左目に画像を見る。
【００１０】
ここで、ヘッドマウントディスプレイ１は、頭部Ｈに装着して使用されるため、小型で軽量なことが求められる。装置の小型化のために、光源や回路等の発熱する部品が、筐体３の内部に近接して配置されることになる。一方で、画像の高精細化や高輝度化、また外部と通信する情報量の増加にともなって、ヘッドマウントディスプレイ１の発熱量は益々増加する傾向にある。光源や回路等の部品は、温度の影響を受けやすく、所定の動作保証温度を超えて使用すると、特性の低下等の不具合を生じる。そこで、筐体３の内部に配置される光源や回路等の部品から効果的に放熱することが求められる。
【００１１】
また、ヘッドマウントディスプレイ１は、頭部Ｈに装着することと、手で触ったり操作したりすることから、人体と接触あるいは近接する箇所である筐体３の温度に対する考慮も必要である。ヘッドマウントディスプレイ１の人体に接触する箇所の温度があまり上昇すると、使用者に違和感を与える恐れがある。筐体３内部の部品の放熱性を高めつつ、人体と接触する筐体３の温度上昇を抑制することが必要である。
上記の特許文献１によると、表示パネルで発生した熱をパネルフレームによって筐体に逃がすことで、表示パネルにおける特性低下を抑制できると記載されている。しかし、この構成では表示パネルの温度は下げられるものの、人体と接触する可能性のある筐体の温度は顕著に上昇するおそれがある。
そこで、以下では、筐体３の温度上昇を抑制し、筐体３に触れた使用者に温度上昇によって違和感を与えることを防止できるヘッドマウントディスプレイについて説明する。
図２は、筐体３を透視して内部構造を示すヘッドマウントディスプレイ１の斜視図であり、図３は、その上面図（ａ）と正面図（ｂ）である。図４は、筐体３の内部の収納部材を示す斜視図である。
【００１２】
図２〜図４に示すように、画像表示部２Ｒ，２Ｌに表示する画像を生成する画像生成部６Ｒ，６Ｌが筐体３の内部に収納されている。画像生成部６Ｒは、画像表示部２Ｒに画像を表示し、画像生成部６Ｌは、画像表示部２Ｌに画像を表示する。画像生成部６Ｒ，６Ｌには、夫々、例えば、発光ダイオードなどの光源、液晶パネル及び液晶駆動回路などが収納されている。
【００１３】
結合部９Ｒは、画像生成部６Ｒと画像表示部２Ｒとを結合しているプリズムやミラーなどの光学素子である。結合部９Ｌは、画像生成部６Ｌと画像表示部２Ｌとを結合している結合部９Ｒと同様の光学素子である。画像生成部６Ｒ，６Ｌの液晶パネルの画像は、夫々結合部９Ｒ，９Ｌを介して画像表示部２Ｒ，２Ｌに写し込む。画像表示部２Ｒ，２Ｌはレンズ等によって構成される。
【００１４】
筐体３の内部には、画像生成部６Ｒ，６Ｌに接続された伝熱部材１０が設けられている。伝熱部材１０は画像表示部２Ｒ，２Ｌの周りに位置する筐体３の内部に配置される。すなわち、画像表示部２Ｒ，２Ｌの上側に位置する筐体３の内部に上側伝熱部材１０ａが配置される。また、画像表示部２の下側に位置する筐体３の内部に下側伝熱部材１０ｂが配置される。更に、その上側伝熱部材１０ａと下側伝熱部材１０ｂとをつなぐ縦伝熱部材１０ｃも配置される。縦伝熱部材１０ｃは、使用者の鼻の両横を通過するように、筐体３内に収納されている。これらが伝熱部材１０を構成する。図３（ａ）に示すように、上側伝熱部材１０ａ、下側伝熱部材１０ｂ、縦伝熱部材１０ｃはそれぞれ筐体３の内壁面３ａ１，３ａ２とそれぞれ間隔ｄ１，ｄ２をあけて配置される。
筐体３の材料は例えば樹脂であり、伝熱部材１０の材料は、筐体３よりも熱伝導率の大きいマグネシウムやアルミニウム等の金属等を用いることができる。なお、筐体３の材料と伝熱部材１０の材料は上記に限ったものではなく、伝熱部材１０の熱伝導率が筐体３の熱伝導率より大きい組み合わせであればよい。
このように伝熱部材１０を筐体３の内部に配置することで、画像生成部６Ｒ，６Ｌで発生した熱を伝熱部材１０に拡散することができる。
【００１５】
ここで、画像生成部６で発生した熱を頭部装着部４の方向へ伝えることも考えられるが、頭部装着部４にも通信回路や電池等の発熱部品が配置されるため、伝熱経路としては好ましくない。したがって、画像生成部６Ｒ，６Ｌからの熱は画像表示部２の周囲に拡散させることが効果的である。図２から図４に示したように、伝熱部材１０を構成する上側伝熱部材１０ａ、下側伝熱部材１０ｂ、縦伝熱部材１０ｃを画像表示部２の周囲全体に配置することによって、画像生成部６からの熱の拡散経路を十分確保でき、画像生成部６の温度上昇を抑制することができる。
このように伝熱部材１０を筐体３の内部に配置することで、筐体３の過度の温度上昇が抑制され、筐体３に触れる使用者に違和感を与えることを防止することができる。
また、伝熱部材１０の熱伝導率が筐体３の熱伝導率より大きいので、伝熱部材１０で効果的に熱を拡散させ、筐体３には熱があまり伝わらないようにすることができる。
その上、伝熱部材１０を筐体３の内壁面３ａ１，３ａ２と間隔ｄ１，ｄ２をあけて配置したことによって、伝熱部材１０から筐体３に伝わる熱を抑制することができる。
【００１６】
本実施例では、図３（ａ）に示すように、ヘッドマウントディスプレイ１を装着する使用者の頭部Ｈ側における筐体３の内壁面３ａ１と上側伝熱部材１０ａとの間隔（距離）がｄ１である。また、使用者の頭部Ｈ側とは反対側における筐体３の内壁面３ａ２と上側伝熱部材１０ａとの間隔（距離）がｄ２である。そして、間隔ｄ１の方が間隔ｄ２よりも長くなるように、上側伝熱部材１０ａを配置している。このように構成することで、使用者における頭部Ｈ側の筐体３の内壁面３ａ１に伝わる熱を、使用者の頭部Ｈとは反対側の筐体３の内壁面３ａ２に伝わる熱よりも少なくすることができる。なお、ここでは上側伝熱部材１０ａだけを説明したが、下側伝熱部材１０ｂ、縦伝熱部材１０ｃについても同様である。
【００１７】
使用者における頭部Ｈ側の筐体３の外壁面３ｂ１は、内壁面３ａ１と反対側の面であり、ヘッドマウントディスプレイ１を装着している間、頭部Ｈに接触あるいは近接した状態にあって、温度上昇により特に使用者に違和感を与える。一方、使用者の頭部Ｈと反対側の筐体３の外壁面３ｂ２については、使用者が手で触る場合がある。しかし、使用者が手で触ったとしても、触る時間が限られるため、使用者の頭部Ｈと反対側の筐体３の外壁面３ｂ２は、使用者における頭部Ｈ側の筐体３の外壁面３ｂ１と比べると温度上昇を許容することができる。そして、内壁面３ａ１の温度が上昇すると外壁面３ｂ１に熱が伝わって温度が上昇する。同様に、内壁面３ａ２の温度が上昇すると外壁面３ｂ２に熱が伝わって温度が上昇する。
【００１８】
このように、使用者における頭部Ｈ側の筐体３の内壁面３ａ１と上側伝熱部材１０ａ（下側伝熱部材１０ｂ、縦伝熱部材１０ｃも同様）との間隔ｄ１を間隔ｄ２よりも長くする。一方、使用者の頭部Ｈと反対側の筐体３の内壁面３ａ２と上側伝熱部材１０ａ（下側伝熱部材１０ｂ、縦伝熱部材１０ｃも同様）との間隔ｄ２を間隔ｄ１より短くする。これによって、使用者における頭部Ｈ側の筐体３の外壁面３ｂ１の温度上昇を、使用者の頭部Ｈ側とは反対側における筐体３の外壁面３ｂ２の温度上昇よりも抑制することができ、筐体３の温度によって使用者に違和感を与えることがない。
【実施例２】
【００１９】
次に、本発明の実施例２に係るヘッドマウントディスプレイについて説明する。
図５は、筐体３を透視して内部構造を示す本実施例に係るヘッドマウントディスプレイ１１の正面図である。以下の実施例において実施例１と共通の部材等は実施例１と同一の符号を用い、詳細な説明は省略する。また、特に違いに言及している点を除いては、前記各実施例は、前記実施例１で説明した構成を備えている。
【００２０】
画像生成部６Ｒ，６Ｌに伝熱部材１０が接続される。伝熱部材１０は画像表示部２Ｒ，２Ｌの上側に位置する筐体３の内部と、画像表示部２Ｒ，２Ｌの下側に位置する筐体３の内部に配置される。画像表示部２Ｒ，２Ｌにおける上側における筐体３の内部の上側に位置する伝熱部材１０は、実施例１の上側伝熱部材１０ａと同様であり、画像表示部２Ｒ，２Ｌの下側における筐体３の内部の下側に位置する伝熱部材１０は、実施例１の下側伝熱部材１０ｂと同様である。本実施例が実施例１と異なる点は、上側伝熱部材１０ａと下側伝熱部材１０ｂとをつなぐ縦伝熱部材１０ｃ（図３等）が存在しない点である。
【００２１】
縦伝熱部材１０ｃが存在しないことで、使用者の鼻Ｈａ（図１）の周辺に接触する筐体３における中央部分の壁面３ｃの温度上昇を実施例１よりも抑制することができる。使用者の鼻Ｈａの周辺に接触する筐体３の中央部分の壁面３ｃは、ヘッドマウントディスプレイ１１を装着している間、常に人体に接触した状態である。したがって、この部分の温度上昇を抑制することで使用者に違和感を与えることを更に抑制することができる。
【００２２】
また、ヘッドマウントディスプレイ１１が図５に示すような眼鏡型ではなく、眼鏡の前枠のような形状はしていない筐体の中央部分の壁面が使用者の鼻の周辺に接触しなかったとしても、鼻は使用者の顔面から最も突出しているので、顔面の中でも筐体の壁面に最も近づく可能性が高い。そのため、鼻に近づく可能性が高い筐体の中央部分の壁面に伝熱部材（縦伝熱部材１０ｃに相当）を配置しないことで、使用者の鼻が過度の熱を受けず、使用者が違和感を抱くのを防止することができる。
【実施例３】
【００２３】
次に、本発明の実施例３に係るヘッドマウントディスプレイについて説明する。
図６は、筐体３を透視して内部構造を示す本実施例に係るヘッドマウントディスプレイ２１の正面図である。
本実施例では、画像生成部６Ｒ，６Ｌに伝熱部材１０が接続されている。伝熱部材１０としては、画像表示部２Ｒ，２Ｌの上側に位置する筐体３の内部に上側伝熱部材１０ａが配置される。本実施例が実施例１と異なる点は、下側伝熱部材１０ｂと縦伝熱部材１０ｃとを配置しない点である。
【００２４】
下側伝熱部材１０ｂ及び縦伝熱部材１０ｃが存在しないことで、使用者の鼻Ｈａ（図１）の周辺に接触する筐体３の中央部分における壁面３ｃの温度上昇を実施例１よりも抑制することができる。使用者の鼻Ｈａの周辺に接触する筐体３の中央部分の壁面３ｃは、ヘッドマウントディスプレイ２１を装着している間、常に人体に接触した状態である。したがって、この部分の温度上昇を抑制することで使用者に違和感を与えることを更に抑制することができる。
【００２５】
また、ヘッドマウントディスプレイ２１が図６に示すような眼鏡型ではなく、眼鏡の前枠のような形状はしていない筐体の中央部分の壁面が使用者の鼻の周辺に接触しなかったとしても、鼻は使用者の顔面から最も突出しているので、顔面の中でも筐体の壁面に最も近づく可能性が高い。そのため、鼻に近づく可能性が高い筐体の中央部分の壁面に伝熱部材（縦伝熱部材１０ｃに相当）を配置しないことで、鼻が過度の熱を受けず、使用者が違和感を抱くのを防止することができる。
また、下側伝熱部材１０ｂと縦伝熱部材１０ｃが存在しないことで、画像表示部２Ｒ，２Ｌの下側に位置する筐体３の領域を縮小し、画像表示部２Ｒ，２Ｌの面積を広げることができる。これによって、使用者の視界を遮る領域を縮小できるという効果がある。
【実施例４】
【００２６】
次に、本発明の実施例４に係るヘッドマウントディスプレイについて説明する。
図７は、筐体３を透視して内部構造を示す本実施例に係るヘッドマウントディスプレイ３１の上面図である。
【００２７】
画像生成部６Ｒ，６Ｌには伝熱部材１０が接続される。図７では、画像表示部２Ｒ，２Ｌの上側に位置する筐体３の内部に配置された伝熱部材１０である上側伝熱部材１０ａを図示している。使用者の頭部Ｈ（図１）と反対側の筐体３内部では、上側伝熱部材１０ａから凸部１０ａ１が複数（図７の例では４個）延出している。この凸部１０ａ１の先端部は筐体３の内壁面３ａ２に接触している。このように、上側伝熱部材１０ａは、使用者の頭部Ｈと反対側では、筐体３の内壁面３ａ２と部分的に接触している。この接触は一カ所に偏らせることなく、図７で、凸部１０ａ１を所定間隔で分散して配置しているように、分散することが望ましい。
【００２８】
この凸部１０ａ１の内壁面３ａ２への接触を例外として、実施例１と同様、上側伝熱部材１０ａと内壁面３ａ１との間には間隔ｄ１があいており、上側伝熱部材１０ａと内壁面３ａ２との間には間隔ｄ２があいている。
なお、図７では上側伝熱部材１０ａの凸部１０ａ１だけを図示しているが、下側伝熱部材１０ｂや縦伝熱部材１０ｃも同様の凸部を備えていることが望ましい。また、図７では凸部１０ａ１が４箇所の例を示しているが、本発明はこれに限定されるものではない。
【００２９】
前述のように、使用者の頭部Ｈと反対側の筐体３の外壁面３ｂ２側は、使用者の頭部Ｈ側の外壁面３ｂ１よりも温度上昇を許容できる。したがって、使用者の頭部Ｈと反対側における筐体３の外壁面３ｂ２の温度上昇が許容できる範囲内であれば、画像生成部６Ｒ，６Ｌから上側伝熱部材１０ａを経由して、使用者の頭部Ｈと反対側の筐体３の外壁面３ｂ２に伝わる熱を増やすことができる。そこで、凸部１０ａ１から内壁面３ａ２を介して外壁面３ｂ２に熱が伝わるようにしている。これによって、使用者の頭部Ｈと反対側における筐体３の外壁面３ｂ２の温度は実施例１などの例より上昇するものの、画像生成部６Ｒ，６Ｌの温度上昇を更に低減できるという効果がある。
また、これによって、上側伝熱部材１０ａ（下側伝熱部材１０ｂや縦伝熱部材１０ｃ）と筐体３とが凸部１０ａ１を介して接合することが可能となって、伝熱部材１０を含めた筐体３の剛性を高めることができ、筐体３の外力に対する変形を抑制することができる。
【実施例５】
【００３０】
次に、本発明の実施例５に係るヘッドマウントディスプレイについて説明する。
図８は、筐体３を透視して内部構造を示す本実施例に係るヘッドマウントディスプレイ４１の上面図である。
本実施例が実施例４と異なるのは、使用者の頭部Ｈ（図１）側の筐体３内部でも、上側伝熱部材１０ａから凸部１０ａ２が複数（図８の例では２個）延出している点である。そして、この凸部１０ａ２の先端部は筐体３の内壁面３ａ１に接触している。
しかしながら、凸部１０ａ１と、凸部１０ａ２との内壁面３ａ２，３ａ１それぞれに対する接触面積は、前者の方が後者より広くなっている。すなわち、この接触面積は、使用者における頭部Ｈ側の反対側の方が、使用者の頭部Ｈ側より広くなっている。
【００３１】
図８の例では、凸部１０ａ１が４個、凸部１０ａ２が２個の例を例示しており、これら各凸部の前記接触面積が等しいとすれば、上側伝熱部材１０ａは、使用者における頭部Ｈ側の反対側の方が、使用者の頭部Ｈ側より筐体３への接触面積が広いことになる。なお、凸部１０ａ１が４個、凸部１０ａ２が２個というのは一例であり、本発明はこれに限定されない。また、凸部１０ａ２と内壁面３ａ１との接触も、凸部１０ａ１と同様、一カ所に偏らせることなく所定間隔をあけて分散させることが好ましい。
【００３２】
この凸部１０ａ１の内壁面３ａ２への接触、凸部１０ａ２の内壁面３ａ１への接触を例外として、実施例１と同様、上側伝熱部材１０ａと内壁面３ａ１との間には間隔ｄ１があいており、上側伝熱部材１０ａと内壁面３ａ２との間には間隔ｄ２があいている。
また、図８では上側伝熱部材１０ａだけを示しているが、下側伝熱部材１０ｂや縦伝熱部材１０ｃにおいても、凸部１０ａ１及び凸部１０ａ２に相当する凸部を設けるようにするのが好ましい。
【００３３】
このように構成することで、使用者における頭部Ｈ側の筐体３の外壁面３ｂ１の温度上昇が許容される範囲内であれば、画像生成部６Ｒ，６Ｌから上側伝熱部材１０ａを経由して、使用者の頭部Ｈ側の筐体３の外壁面３ｂ１に伝わる熱を増やすことができる。これによって、実施例４と比較して、使用者の頭部Ｈに近い側における筐体３の外壁面３ｂ１の温度は上昇するものの、画像生成部６Ｒ，６Ｌの温度上昇をより一層低減できるという効果がある。
【００３４】
また、使用者における頭部Ｈ側の筐体３の内壁面３ａ１と凸部１０ａ２との接触面積の合計よりも、使用者の頭部Ｈと反対側の筐体３の内壁面３ａ２と凸部１０ａ１との接触面積の合計が広い。これによって、使用者における頭部Ｈ側の筐体３の外壁面３ｂ１の温度上昇を、使用者の頭部Ｈと反対側における筐体３の外壁面３ｂ２の温度上昇よりも抑えることができる。これによって、ヘッドマウントディスプレイ４１の温度上昇による使用者の違和感を抑制することができる。
【００３５】
さらに、使用者の頭部Ｈと反対側の筐体３の内壁面３ａ２に加えて、使用者における頭部Ｈ側の筐体３の内壁面３ａ１とも上側伝熱部材１０ａ（下側伝熱部材１０ｂや縦伝熱部材１０ｃも同様）を接続することが可能となっている。これにより、上側伝熱部材１０ａ（下側伝熱部材１０ｂや縦伝熱部材１０ｃ）を含めた筐体３の剛性をより一層高めることができ、外力に対する変形を抑制することができる。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【００３７】
例えば、画像表示部２Ｒ，２Ｌにおいても発熱の問題が大きい場合は、画像表示部２Ｒ，２Ｌにも伝熱部材１０を接続するようにしてもよい。
また、上記実施例のヘッドマウントディスプレイは眼鏡型であるが、眼鏡型ではなく、使用者の頭部Ｈの前方に１枚の画像表示部を配置するようにして、使用者は両目で１枚の画像表示部を目視するようにしてもよい。
また、頭部装着部４が高温になる場合は、頭部装着部４にも伝熱部材を接続するようにしてもよい。この場合は、連結部５内などに伝熱部材を配置することができる。
【符号の説明】
【００３８】
１，１１，２１，３１，４１  ヘッドマウントディスプレイ
２Ｒ，２Ｌ  画像表示部
３      筐体
３ａ１，３ａ２  内壁面
６Ｒ，６Ｌ  画像生成部
１０，１０ａ，１０ｂ，１０ｃ  伝熱部材
ｄ１，ｄ２  間隔
Ｈ      頭部
【図１】
2018182553.tif 000003
【図２】
2018182553.tif 000004
【図３】
2018182553.tif 000005
【図４】
2018182553.tif 000006
【図５】
2018182553.tif 000007
【図６】
2018182553.tif 000008
【図７】
2018182553.tif 000009
【図８】
2018182553.tif 000010